(57)【要約】【課題】  従来の装置においては、画像表示を消去するのみで、画像表示停止時間の映像内容を視聴することが出来ず、重要な場面を見逃してしまう可能性があり、視聴者にとっては使用しづらい一面がある。【解決手段】  本件発明は、このような状況に鑑みてなされたものである。  第一の発明は、映像情報を受信する受信部と、受信部にて受信した映像情報を記録可能な記録部と、受信部にて受信した映像情報に基づいて映像を表示可能なディスプレイを有する出力部と、受信部、記録部、出力部のいずれか一又は二以上を制御するための制御部と、ディスプレイから第一所定範囲に人が存在するか検知する検知部と、検知部の検知結果に基づいて制御部に対して、受信部、記録部、出力部のいずれか一又は二以上を制御するための命令である制御命令を送信する制御命令送信部と、を有する映像出力装置に関する。【選択図】  図１
2005318364.tif 000002
【特許請求の範囲】
【請求項１】
映像情報を受信する受信部と、
前記受信部にて受信した映像情報を記録可能な記録部と、
前記受信部にて受信した映像情報に基づいて映像を表示可能なディスプレイを有する出力部と、
前記受信部、記録部、出力部のいずれか一又は二以上を制御するための制御部と、
前記ディスプレイから第一所定範囲に人が存在するか検知する検知部と、
前記検知部の検知結果に基づいて前記制御部に対して、前記受信部、記録部、出力部のいずれか一又は二以上を制御するための命令である制御命令を送信する制御命令送信部と、
を有する映像出力装置。
【請求項２】
前記制御命令送信部は、
前記検知部の検知結果に基づいて所定の時間連続して第一所定範囲に人が存在すか判断するための滞在時間判断手段と、
前記滞在時間判断手段の判断結果が所定の時間連続して第一所定範囲に人が存在するとの判断結果である場合には前記出力部のディスプレイの表示を中断するための制御命令である中断命令を送信するための中断命令送信手段と、
前記中断命令送信手段により送信された中断命令に基づいた中断を終了させるための中断終了手段と、
前記滞在時間判断手段の判断結果が所定の時間連続して第一所定範囲に人が存在するとの判断結果である場合には、記録部に対して少なくとも前記中断中の映像情報を後に再生可能とするための制御命令である第一記録命令を送信するための第一記録命令送信手段と、
を有する請求項１に記載の映像出力装置。
【請求項３】
前記制御命令送信部は、
前記検知部の検知結果に基づいて所定の時間連続して第一所定範囲に人が存在するか判断するための滞在時間判断手段と、
前記滞在時間判断手段の判断結果が所定の時間連続して第一所定範囲に人が存在するとの判断結果である場合には前記出力部のディスプレイの表示を中断するための制御命令である中断命令を送信するための中断命令送信手段と、
前記中断命令送信手段により送信された中断命令に基づいた中断を終了させるための中断終了手段と、
前記滞在時間判断手段の判断結果が所定の時間連続して第一所定範囲に人が存在するとの判断結果である場合には、記録部に対して前記中断中及び中断終了後の映像情報を後に連続再生可能とするための制御命令である第二記録命令を送信するための第二記録命令送信手段と、
を有する請求項１に記載の映像出力装置。
【請求項４】
前記制御命令送信部は、
前記検知部の検知結果に基づいて所定の時間連続して第一所定範囲に人が存在すか判断するための滞在時間判断手段と、
前記滞在時間判断手段の判断結果が所定の時間連続して第一所定範囲に人が存在するとの判断結果である場合には前記出力部のディスプレイの表示を中断するための制御命令である中断命令を送信するための中断命令送信手段と、
前記中断命令送信手段により送信された中断命令に基づいた中断を終了させるための中断終了手段と、
前記滞在時間判断手段の判断結果が所定の時間連続して第一所定範囲に人が存在するとの判断結果である場合には、記録部に対して前記中断があったコンテンツの映像情報を後に最初から連続再生可能とするための制御命令である第三記録命令を送信するための第三記録命令送信手段と、
を有する請求項１に記載の映像出力装置。
【請求項５】
前記制御命令に基づいて前記制御部が制御をした場合には、その旨を前記出力部のディスプレイに表示する制御告知部をさらに有する請求項２から４のいずれか一に記載の映像出力装置。
【請求項６】
前記制御命令送信部は、
前記検知部の検知結果に基づいてディスプレイの表示を後に中断する可能性を示す警告情報を前記出力部から出力させるための制御命令である警告出力命令を送信するための警告出力命令送信手段を有する請求項１から５のいずれか一に記載の映像出力装置。
【発明の詳細な説明】
【技術分野】
【０００１】
本件発明は、テレビジョン放送などの映像情報を視聴する人の視聴条件に応じて、映像情報の出力をディスプレイから記録部に切り替えて映像情報を記録する映像出力装置に関する。
【背景技術】
【０００２】
従来、児童等の視聴者がテレビジョンをディスプレイとしてゲーム機によりゲームを行う時、ゲーム者の位置がテレビ画面に過度に近接したり、あるいはテレビ画面から適度の距離を保っている場合にもゲーム時間が長時間に及んだり、することがある。このような場合には、ゲーム者の視力が低下する等の弊害があった。このような弊害は、ゲーム機を使用しないで単にテレビ画面を観賞する際にもあてはまる。このような弊害を防止するための方法としては、専らゲーム者が注意することにより弊害を予防する方法しかなかった。そこでこれらの弊害を防止する方法として、特許文献１に記載の発明が提案されている。特許文献１の画像表示消去装置は、テレビ視聴者がテレビ画面に近接した時、テレビ視聴の中止を促す警告音声もしくは警告表示あるいは双方の警告を出力した後に、テレビ画像を自動的に消去することに関するものである。また、特許文献１の画像表示消去装置は、テレビ視聴者以外の他者が所定エリアを通過する等の一時的なエリア通過の場合には、テレビ画像表示を維持することができる。
【特許文献１】特開平７−３３６６１５
【発明の開示】
【発明が解決しようとする課題】
【０００３】
しかしながら上記の装置においては、画像表示を消去するのみで、画像表示停止時間の映像内容を視聴することが出来ず、重要な場面を見逃してしまう可能性があり、視聴者にとっては使用しづらい一面がある。
【課題を解決するための手段】
【０００４】
本件発明は、このような状況に鑑みてなされたもので、画面表示消去時間内の映像内容を記録装置に記録させ、別途視聴できるようにするものである。
【０００５】
第一の発明は、映像情報を受信する受信部と、前記受信部にて受信した映像情報を記録可能な記録部と、前記受信部にて受信した映像情報に基づいて映像を表示可能なディスプレイを有する出力部と、前記受信部、記録部、出力部のいずれか一又は二以上を制御するための制御部と、前記ディスプレイから第一所定範囲に人が存在するか検知する検知部と、前記検知部の検知結果に基づいて前記制御部に対して、前記受信部、記録部、出力部のいずれか一又は二以上を制御するための命令である制御命令を送信する制御命令送信部と、を有する映像出力装置に関する。
【０００６】
第二の発明は、前記制御命令送信部は、前記検知部の検知結果に基づいて所定の時間連続して第一所定範囲に人が存在すか判断するための滞在時間判断手段と、前記滞在時間判断手段の判断結果が所定の時間連続して第一所定範囲に人が存在するとの判断結果である場合には前記出力部のディスプレイの表示を中断するための制御命令である中断命令を送信するための中断命令送信手段と、前記中断命令送信手段により送信された中断命令に基づいた中断を終了させるための中断終了手段と、前記滞在時間判断手段の判断結果が所定の時間連続して第一所定範囲に人が存在するとの判断結果である場合には、記録部に対して少なくとも前記中断中の映像情報を後に再生可能とするための制御命令である第一記録命令を送信するための第一記録命令送信手段と、を有する第一の発明に記載の映像出力装置に関する。
【０００７】
第三の発明は、前記制御命令送信部は、前記検知部の検知結果に基づいて所定の時間連続して第一所定範囲に人が存在するか判断するための滞在時間判断手段と、前記滞在時間判断手段の判断結果が所定の時間連続して第一所定範囲に人が存在するとの判断結果である場合には前記出力部のディスプレイの表示を中断するための制御命令である中断命令を送信するための中断命令送信手段と、前記中断命令送信手段により送信された中断命令に基づいた中断を終了させるための中断終了手段と、前記滞在時間判断手段の判断結果が所定の時間連続して第一所定範囲に人が存在するとの判断結果である場合には、記録部に対して前記中断中及び中断終了後の映像情報を後に連続再生可能とするための制御命令である第二記録命令を送信するための第二記録命令送信手段と、を有する第一の発明に記載の映像出力装置に関する。
【０００８】
第四の発明は、前記制御命令送信部は、前記検知部の検知結果に基づいて所定の時間連続して第一所定範囲に人が存在すか判断するための滞在時間判断手段と、前記滞在時間判断手段の判断結果が所定の時間連続して第一所定範囲に人が存在するとの判断結果である場合には前記出力部のディスプレイの表示を中断するための制御命令である中断命令を送信するための中断命令送信手段と、前記中断命令送信手段により送信された中断命令に基づいた中断を終了させるための中断終了手段と、前記滞在時間判断手段の判断結果が所定の時間連続して第一所定範囲に人が存在するとの判断結果である場合には、記録部に対して前記中断があったコンテンツの映像情報を後に最初から連続再生可能とするための制御命令である第三記録命令を送信するための第三記録命令送信手段と、を有する第一の発明に記載の映像出力装置に関する。
【０００９】
第五の発明は、前記制御命令に基づいて前記制御部が制御をした場合には、その旨を前記出力部のディスプレイに表示する制御告知部をさらに有する第二の発明から第四の発明のいずれか一に記載の映像出力装置に関する。
【００１０】
第六の発明は、前記制御命令送信部は、前記検知部の検知結果に基づいてディスプレイの表示を後に中断する可能性を示す警告情報を前記出力部から出力させるための制御命令である警告出力命令を送信するための警告出力命令送信手段を有する第一の発明から第五の発明のいずれか一に記載の映像出力装置に関する。
【発明の効果】
【００１１】
本件発明によれば、ディスプレイから第一所定範囲に人が存在するか検知し、検知結果が、第一所定範囲に人が存在する場合には、映像情報を記録部に記録することにより、後に第一所定範囲に人が存在した時間の映像情報を再生可能とすることができる。
【発明を実施するための最良の形態】
【００１２】
以下に本件発明の実施形態を説明する。実施形態と、請求項との関係はおおむね次のようなものである。
実施形態１は、主に、請求項１について説明している。
実施形態２は、主に、請求項２について説明している。
実施形態３は、主に、請求項３について説明している。
実施形態４は、主に、請求項４について説明している。
実施形態５は、主に、請求項５について説明している。
実施形態６は、主に、請求項６について説明している。
以下に、図を用いて本発明の実施の形態を説明する。なお、本発明はこれら実施の形態に何ら限定されるものではなく、その要旨を逸脱しない範囲において、種々なる態様で実施しうる。
【００１３】
<<実施形態１>>
以下に、実施形態１について説明する。
<実施形態１の概念>
以下に、本実施形態の概念について説明する。
図１は、本実施形態の映像出力装置の構成の一例を示す図である。映像出力装置０１００は、検知部０１０１、０１０２を有している。また、映像出力装置には、テレビゲームなどの外部機器０１０３が接続されていてもよい。
図２は、本実施形態の映像出力装置の概念図である。映像出力装置０２００は、人を検知する検知部０２０１、０２０２が、検知部が人を検知する範囲である第一所定範囲０２０３、０２０４に人０２０５を検知した場合には、映像情報の出力を出力部から記録部に切替えて映像情報を記録部に記録する。その後、記録した映像情報を再生することができる。このため、視聴者がディスプレイの近くにいることにより引き起こされる視力の低下などの弊害を防止することができると同時に、ディスプレイへの表示が中断された映像情報を再生することが可能となる。
【００１４】
<構成要件の明示>
以下に、本実施形態の映像出力装置の構成要件を明示する。
図３は、本実施形態の機能ブロック図である。映像出力装置０３００は、受信部０３０１と、記録部０３０２と、出力部０３０３と、制御部０３０４と、検知部０３０５と、制御命令送信部０３０６と、からなる。
【００１５】
<構成要件の説明>
以下に、本実施形態の構成要件を説明する。
（受信部）
「受信部」は、映像情報を受信する。ここで「映像情報」とは、画像情報、音声情報のことをいう。受信部が受信する映像情報には、例えば、テレビジョン放送されている映像情報、ケーブルテレビの映像情報、インターネットから受信される映像情報、テレビゲームなどの外部機器からの映像情報などが該当する。また、受信部が受信する映像情報には、受信部から記録部に記録されて記録部（後述する）から再び出力される映像情報は含まない。受信部が受信した映像情報は、出力部（後述する）又は／及び記録部に出力される。受信部には、例えば、アンテナ入力を有するＶＨＦ、ＵＨＦ、ＢＳ、ＣＳタイプのチューナなどが該当する。またケーブルテレビ接続用端子、インターネット接続用端子、さらにはビデオ、ゲーム機などの外部入力の機器を接続するための端子類を備えていてもよい。
【００１６】
（記録部）
「記録部」は、受信部にて受信した映像情報を記録する。記録部は、制御部（後述する）からの制御によって映像情報を記録する。ここで記録部の記録媒体としては、ハードディスク、ビデオテープ、ＤＶＤ（Ｄｉｇｉｔａｌ  Ｖｅｒｓａｔｉｌｅ  Ｄｉｓｋ）などが挙げられる。記録部に記録された映像情報は、出力部に出力可能となる。
【００１７】
（出力部）
「出力部」は、映像情報を出力する。ここで出力部は、受信部にて受信した映像情報に基づいて映像を表示可能なディスプレイを有する。ディスプレイには、一例として、陰極線管を利用したＣＲＴ（Ｃａｔｈｏｄｅ  Ｒａｙ  Ｔｕｂｅ）ディスプレイ、設置面積が小さく消費電力の少ない液晶ディスプレイ、ガス放電を利用したプラズマディスプレイ、有機ＥＬ（ＥｌｅｃｔｒｏＬｕｍｉｎｅｓｃｅｎｃｅ）ディスプレイなどが挙げられる。また、出力部は、音声情報を出力するスピーカなどを有する。
【００１８】
（制御部）
「制御部」は、受信部、記録部、出力部のいずれか一又は二以上を制御する。制御部は、制御命令送信部からの制御命令に基づいて制御する。なお、制御部における制御は、検知部（後述する）での検知結果によって変わる。ここで「制御」には、一例として、以下のような３つの制御が考えられる。
第一の制御は、検知部での検知結果が第一所定範囲に人が存在する場合に、記録部に対して中断中の映像情報を後に再生可能とするための制御である。ここで「中断」とは、出力部のディスプレイの表示を中断することをいう。第一の制御は、主に、実施形態１、２の制御である。
第二の制御は、検知部での検知結果が第一所定範囲に人が存在する場合に、記録部に対して中断中及び中断終了後の映像情報を後に連続再生可能とするための制御である。第二の制御は、主に、実施形態１、３の制御である。
第三の制御は、検知部での検知結果が第一所定範囲に人が存在する場合に、記録部に対して中断があったコンテンツの映像情報を後に最初から連続再生可能とするための制御である。ここで「コンテンツ」とは、テレビジョン放送、ケーブルテレビ放送、インターネット放送などの番組や内容のことをいう。第三の制御は、主に、実施形態１、４の制御である。
【００１９】
上記代表的な３つの制御は、さらに以下に示すような細分化された制御命令の組み合わせによって実現されうる。
（制御命令１）
制御命令１は、制御部が、受信部で受信した映像情報を出力部のみに出力するように制御する命令である。この命令は、例えば、現在テレビジョン放送中の映像情報をそのままディスプレイに表示するような場合に使用される命令である。この命令は、主に、第一の制御、第二の制御に使用される。
（制御命令２）
制御命令２は、制御部が、受信部で受信した映像情報を記録部のみに出力するように制御する命令である。この命令は、例えば、現在放送中のテレビジョン放送を記録モードに切替えて、映像情報を記録部に記録する場合に使用される命令である。ここで「記録モード」とは、映像情報を記録部に出力する制御状態のことをいう。この命令は、主に、第一の制御、第二の制御、第三の制御に使用される。
（制御命令３）
制御命令３は、制御部が、受信部で受信した映像情報を出力部に出力すると同時に記録部に記録するように制御する命令である。この命令は、主に、第二の制御、第三の制御に使用される。
（制御命令４）
制御命令４は、制御部が、記録部に記録された映像情報を出力部に出力するように制御する命令である。この命令は、例えば、テレビジョン放送をディスプレイに表示中に、検知部（後述する）が第一所定範囲に人を検知して、出力部からの映像情報が中断した場合に、後に中断された映像情報を、記録部から出力部に出力して視聴する場合に使用される。コンテンツ終了後に映像情報を再生する場合に限定されず、コンテンツの受信中に時間差をおいて記録した該コンテンツを再生する方法であるタイムシフト再生としても使用可能である。この命令は、主に、第一の制御、第二の制御、第三の制御に使用される。
（中断命令）
中断命令は、制御部が、出力部のディスプレイの表示を中断するための命令である。中断命令は、主に、映像情報の出力を出力部から記録部に切替えるとき、あるいは映像情報の出力を出力部及び記録部から記録部のみに切替えるときに使用される。この命令は、主に、第一の制御、第二の制御、第三の制御に使用される。
（中断終了命令）
中断終了命令は、制御部が、中断命令に基づいた中断を終了させるための命令である。中断終了命令は、主に、映像情報の出力を記録部から出力部に切替えるときに使用される。中断終了命令により、ディスプレイへの表示が中断された映像情報のディスプレイへの出力が再開される。この命令は、主に、第一の制御、第二の制御、第三の制御に使用される。
【００２０】
図２１から図２４は、上記制御命令を利用した制御シーケンスの一例を示す図である。
図２１は、上記第一の制御を、細分化された制御命令を使用して実現する場合の制御シーケンスを説明した図である。第一の制御は、中断中の映像情報のみを記録部に記録することに特徴がある。図の左側の制御は、受信部で受信した映像情報を出力部に出力する制御を示し、図の右側の制御は、受信部で受信した映像情報を記録部に出力する制御を示している。図において、太線の実線部分は、制御が行われている状態を示している。図に基づいて制御シーケンスを説明する。まず映像出力装置の電源をＯＮにした状態で、１．制御命令１（映像情報は受信部から出力部へ）で映像情報が受信部から出力部に出力される。この状態で、検知部が第一所定範囲に人を検知した場合に、２．中断命令と、３．制御命令２（映像情報は受信部から記録部へ）によって、映像情報が受信部から記録部に出力される。その後、検知部が第一所定範囲に人を検知しなくなった場合に、４．中断終了命令と、５．制御命令１によって再び映像情報が受信部から出力部に出力される。以降同様に、検知部が第一所定範囲に人を検知した場合に、６．中断命令と、７．制御命令２によって、映像情報が受信部から記録部に出力される。その後、検知部が第一所定範囲に人を検知しなくなった場合に、８．中断終了命令と、９．制御命令１によって再び映像情報が受信部から出力部に出力される。中断中の映像情報は、後に制御命令４によって再生することができる。またタイムシフト再生によって再生することもできる。この図の場合の制御シーケンスは、主に、実施形態１、２などが該当する。
【００２１】
図２２は、上記第二の制御を、細分化された制御命令を使用して実現する場合の制御シーケンスを説明した図である。第二の制御は、中断中及び中断終了後の映像情報を記録部に記録することに特徴がある。図の左側の制御は、受信部で受信した映像情報を出力部に出力する制御を示し、図の右側の制御は、受信部で受信した映像情報を記録部に出力する制御を示している。図において、太線の実線部分は、制御が行われている状態を示している。図に基づいて制御シーケンスを説明する。まず映像出力装置の電源をＯＮにした状態で、１．制御命令１（映像情報は受信部から出力部へ）で映像情報が受信部から出力部に出力される。この状態で、検知部が第一所定範囲に人を検知した場合に、２．中断命令と、３．制御命令２（映像情報は受信部から記録部へ）によって、映像情報が受信部から記録部のみに出力される。ここで受信部から記録部への出力は、コンテンツが終了するまで継続する。その後、検知部が第一所定範囲に人を検知しなくなった場合に、４．中断終了命令と、５．制御命令３（映像情報は受信部から出力部と記録部へ）によって映像情報が受信部から出力部と記録部に出力される。以降同様に、検知部が第一所定範囲に人を検知した場合に、６．中断命令と、７．制御命令２によって、映像情報が受信部から記録部のみに出力される。その後、検知部が第一所定範囲に人を検知しなくなった場合に、８．中断終了命令と、９．制御命令３によって再び映像情報が受信部から出力部と記録部に出力される。中断中及び中断終了後の映像情報は、後に制御命令４によって再生することができる。またタイムシフト再生によって再生することもできる。この図の場合の制御シーケンスは、主に、実施形態１、３などが該当する。
【００２２】
図２３は、上記第三の制御を、細分化された制御命令を使用して実現する場合の制御シーケンスを説明した図である。第三の制御は、中断が発生したコンテンツの映像情報を最初から記録部に記録することに特徴がある。図の左側の制御は、受信部で受信した映像情報を出力部に出力する制御を示し、図の右側の制御は、受信部で受信した映像情報を記録部に出力する制御を示している。図において、太線の実線部分は、制御が行われている状態を示している。図に基づいて制御シーケンスを説明する。まず映像出力装置の電源をＯＮにした状態で、１．制御命令３（映像情報は受信部から出力部と記録部へ）で映像情報が受信部から出力部と記録部に出力される。この状態で、検知部が第一所定範囲に人を検知した場合に、２．中断命令と、３．制御命令２（映像情報は受信部から記録部へ）によって、映像情報が受信部から記録部のみに出力される。ここで受信部から記録部への出力は、コンテンツが終了するまで継続する。その後、検知部が第一所定範囲に人を検知しなくなった場合に、４．中断終了命令と、５．制御命令３（映像情報は受信部から出力部と記録部へ）によって映像情報が受信部から出力部と記録部に出力される。以降同様に、検知部が第一所定範囲に人を検知した場合に、６．中断命令と、７．制御命令２によって、映像情報が受信部から記録部のみに出力される。その後、検知部が第一所定範囲に人を検知しなくなった場合に、８．中断終了命令と、９．制御命令３によって再び映像情報が受信部から出力部と記録部に出力される。中断が発生したコンテンツの映像情報は、後に制御命令４によってコンテンツの最初から再生することができる。またタイムシフト再生によって再生することもできる。この図の場合の制御シーケンスは、主に、実施形態１、４などが該当する。
【００２３】
図２４は、制御命令４を利用して、タイムシフト再生をする場合の制御シーケンスを示している。図の左側の制御は、受信部で受信した映像情報を出力部に出力する制御を示し、図の中央の制御は、受信部で受信した映像情報を記録部に出力する制御を示している。図の右側の制御は、記録部に記録されている映像情報を出力部に出力する制御を示している。図において、太線の実線部分は、制御が行われている状態を示している。まず映像出力装置の電源をＯＮにした状態で、１．制御命令３（映像情報は受信部から出力部と記録部へ）で映像情報が受信部から出力部と記録部に出力される。この状態で、検知部が第一所定範囲に人を検知した場合に、２．中断命令と、制御命令２（受信部から記録部へ）（図示しない）によって、映像情報が受信部から記録部のみに出力される。ここで受信部から記録部への出力は、コンテンツが終了するまで継続する。その後、検知部が第一所定範囲に人を検知しなくなった場合に、３．中断終了命令と、４．制御命令４（映像情報は記録部から出力部へ）によって映像情報Ａ（４．制御命令４によりコンテンツの再生が開始されて、５．中断命令によってディスプレイへの表示が中断されるまでの映像情報）が記録部から出力部に出力される。次に、検知部が第一所定範囲に人を検知した場合に、５．中断命令によって、映像情報が受信部から記録部のみに出力される。その後、検知部が第一所定範囲に人を検知しなくなった場合に、６．中断終了命令と、制御命令４によって再び映像情報Ｂ（映像情報Ａと連続する映像情報）が記録部から出力部に出力される。タイムシフト再生によって、視力の低下がないにもかかわらず、コンテンツを連続的に再生視聴することが可能となる。
【００２４】
（検知部）
「検知部」は、ディスプレイから第一所定範囲に人が存在するか検知する。ここで「第一所定範囲」とは、検知部が人を検知する領域のことをいう。例えば、第一所定範囲は、検知部が一定の領域内に人を検知する範囲である。第一所定範囲の設定は、自由に変更することも可能である。検知部には、一例として、サーモパイル（ｔｈｅｒｍｏ−ｐｉｌｅ）赤外線センサ、超音波センサ、ＣＣＤセンサ、レーザーセンサ、その他光センサなどが該当する。一例として、サーモパイル赤外線センサは、人から放射される微量の赤外線を受光することにより発生した温接点部の温度変化を、熱電対の熱起電力として出力することにより、人が第一所定範囲にいるかどうか検知することができる。なお、サーモパイル赤外線センサに対しては電源の供給は不要である。このため、検知部としてサーモパイル赤外線センサを利用する場合には、省電力化ができる。検知結果は、制御命令送信部に送出される。
【００２５】
図４は、第一所定範囲を説明するための一例を示す図であり、映像出力装置０４００を上方から見た平面図である。図４の第一所定範囲は、検知部が一定の領域内に人を検知する範囲の場合を示している。映像出力装置の検知部０４０１、０４０２は第一所定範囲０４０３、０４０４（図の斜線部分）の人を検出する。検知部が、サーモパイル赤外線センサである場合には、熱電対に発生する起電力の閾値を設定することによって、第一所定範囲を設定することができる。例えば、熱電対に発生する起電力の値が設定値以上の場合を「第一所定範囲に人が存在する」とすることができる。なお、第一所定範囲を変更することは、熱電対に発生する起電力の閾値の設定値を変更することにより実現できる。
【００２６】
なお、第一所定範囲は、上記で述べたように、検知部が一定の領域内に人を検知する範囲に限定されず、検知部が一定の領域外に人を検知する領域であってもよい。
【００２７】
図５は、検知部が一定の領域外に人を検知する領域である第一所定範囲を説明するための一例を示す図であり、映像出力装置０５００を上方から見た平面図である。図５の第一所定範囲（図の斜線以外の部分）は、検知部０５０１、０５０２が一定の領域外（図の斜線以外の部分）に人を検知する領域の場合を示している。この場合には検知部は、一定の領域内（図の斜線部分）に人が存在しないことにより、第一所定範囲（図の斜線以外の部分）に人が存在することを検知する。これは、テレビを視聴している人が少なくとも一人は存在するという前提の下に、一定の領域内（図の斜線部分）に人が存在しなければ、一定の領域外（図の斜線以外の部分）に人が存在するはずであるという仮定に基づいている。また、検知部が、サーモパイル赤外線センサである場合には、熱電対に発生する起電力の閾値を設定することによって、第一所定範囲を設定することができる。例えば、熱電対に発生する起電力の値が設定値以下の場合には、サーモパイル赤外線センサの検知範囲内に人がいない。このため、熱電対に発生する起電力の値が設定値以下の場合を「第一所定範囲に人が存在する」とすることができる。なお、第一所定範囲を変更することは、熱電対に発生する起電力の閾値の設定値を変更することにより実現できる。第一所定範囲が図５の場合には、長時間、テレビをつけっぱなしにしておくことや、適当な距離ではあるが、テレビの見すぎであることを検知することに利用できる。
【００２８】
（制御命令送信部）
「制御命令送信部」は、検知部の検知結果に基づいて制御部に対して、受信部、記録部、出力部のいずれか一又は二以上を制御するための命令である制御命令を送信する。制御命令送信部が制御部に対して送信する制御命令は、制御部の説明で述べたように、一例として、制御命令１、制御命令２、制御命令３、制御命令４、中断命令、中断終了命令などが該当する。例えば、制御命令送信部は、検知部での検知結果が、「人が存在する」であれば、受信部で受信した映像情報を記録部のみに出力するように制御する制御命令２を、検知部での検知結果が、「人が存在しない」であれば、受信部で受信した映像情報を出力部のみに出力する制御命令１を制御部に対して送信する。また、制御命令送信部が制御部に対して送信する制御命令による制御には、一例として、制御部で説明した第一の制御、第二の制御、第三の制御などが挙げられる。
【００２９】
なお、映像情報のディスプレイへの表示を中断する制御は、記録部への出力先の切替えだけでなく、例えば、ディスプレイの電源のみを切断する制御でもよいし、スピーカなどの音声情報は引き続き出力される制御であってもよい。
【００３０】
<処理の流れ>
以下に、本実施形態の処理の流れを説明する。なお、以下に示す処理の流れは、方法、計算機に実行させるためのプログラム、またはそのプログラムが記録された読み取り可能な記録媒体として実施されうる（これは、本明細書のその他の処理の流れについても同様である）。
図６は、本実施形態の処理の流れを説明するための図である。図６は、主に、第一の制御の処理の流れである。
まず、映像出力装置の電源をＯＮにする（ステップＳ０６０１）。次に、受信ステップは、映像情報を受信し出力部に出力する（ステップＳ０６０２）。次に、検知ステップは、ディスプレイから第一所定範囲に人が存在するか検知する（ステップＳ０６０３）。次に、制御命令送信ステップは、検知ステップでの検知結果が、「ディスプレイから第一所定範囲に人が存在する」かどうか判断する（ステップＳ０６０４）。次に、制御命令送信ステップは、検知ステップでの検知結果が、「ディスプレイから第一所定範囲に人が存在する」である場合には、さらに映像情報の出力がディスプレイに表示されているか判断する（ステップＳ０６０５）。ディスプレイに表示されていれば、ステップＳ０６０６に進み、ディスプレイに表示されていなければステップＳ０６０７に進む。次に、制御命令送信ステップは、映像情報の出力を出力部から記録部に切替える制御命令を、制御部に対して送信する（ステップＳ０６０６）。次に、制御ステップは、映像情報を記録部に出力する（ステップＳ０６０７）。次に、映像出力装置の電源がＯＦＦかどうか判断し（ステップＳ０６０８）、電源ＯＦＦであれば処理を終了する。電源ＯＮであれば、ステップＳ０６０３に戻る。次に、制御命令送信ステップは、検知ステップでの検知結果が、「ディスプレイから第一所定範囲に人が存在しない」であれば、さらに映像情報の出力がディスプレイに表示されているか判断する（ステップＳ０６０９）。ディスプレイに表示されていなければ、ステップＳ０６１０に進み、ディスプレイに表示されていればステップＳ０６１１に進む。次に、制御命令送信ステップは、映像情報を出力部に出力する制御命令を、制御部に対して送信する（ステップＳ０６１０）。次に、制御ステップは、映像情報を出力部に出力し（ステップＳ０６１１）、ステップＳ０６０８に進む。
【００３１】
<実施形態１の効果の簡単な説明>
【００３２】
本実施形態の映像出力装置によれば、ディスプレイから第一所定範囲に人が存在するか検知し、検知結果が、第一所定範囲に人が存在する場合には、ディスプレイへの表示の中断があった映像情報を記録部に記録することにより、後に記録した映像情報を再生可能とすることができる。
【００３３】
<<実施形態２>>
以下に、実施形態２について説明する。
<実施形態２の概念>
以下に、本実施形態の概念について説明する。本実施形態の映像出力装置は、所定の時間連続して第一所定範囲に人が存在する場合にディスプレイの表示を中断し、その中断中の映像情報を記録部に記録することにより、後に中断中の映像情報を再生可能とすることに特徴がある。このため、一時的に人が通り過ぎるような場合には、出力部に出力中の映像情報が中断することがない。
【００３４】
<構成要件の明示>
以下に、本実施形態の映像出力装置の構成要件を明示する。
図７は、本実施形態の機能ブロック図である。映像出力装置０７００は、受信部０７０１と、記録部０７０２と、出力部０７０３と、制御部０７０４と、検知部０７０５と、制御命令送信部０７０６と、からなる。本実施形態の特徴は、上記実施形態１の構成要件を基本として、制御命令送信部が、滞在時間判断手段０７０７と、中断命令送信手段０７０８と、中断終了手段０７０９と、第一記録命令送信手段０７１０と、をさらに有することにある。
【００３５】
<構成要件の説明>
以下に、本実施形態の構成要件を説明する。
（受信部）、（記録部）、（出力部）、（検知部）、（制御部）
受信部、記録部、出力部、検知部、制御部については、実施形態１と同様なので説明を省略する。
【００３６】
（制御命令送信部）
（滞在時間判断手段）
「滞在時間判断手段」は、検知部の検知結果に基づいて所定の時間連続して第一所定範囲に人が存在するか判断する。ここで「所定の時間」とは、連続して第一所定範囲に人が存在するか判断するために設定される時間のことをいう。所定の時間は、例えば、タイマーなどに設定される。また、滞在時間判断手段は、一例として、タイマーなどによって構成することができる。例えば、検知部の検知結果が、「ディスプレイから第一所定範囲に人が存在する」である場合に、検知部は「ディスプレイから第一所定範囲に人が存在する」旨の信号を滞在時間判断手段に対して送出する。当該信号を受信した滞在時間判断手段のタイマーは、カウントを開始し、当該信号を受信している間はカウントをし続ける。タイマーのカウントは、検知部から「ディスプレイから第一所定範囲に人が存在しない」旨の信号を受信するまで継続する。そしてカウント値がタイマーの設定値に到達した時点で、滞在時間判断手段は中断命令送信手段（後述する）と中断終了手段（後述する）に対して、「所定の時間連続して第一所定範囲に人が存在する」旨の信号を送出する。「所定の時間連続して第一所定範囲に人が存在する」旨の信号を受信した中断命令送信手段は、制御部に対して中断命令（後述する）を送信する。中断命令を受信した制御部は、受信部からの映像情報の出力を出力部から記録部に切替える。その後、滞在時間判断手段が、検知部から「ディスプレイから第一所定範囲に人が存在しない」旨の信号を受信した場合には、滞在時間判断手段は中断命令送信手段と中断終了手段に対して、「所定の時間連続して第一所定範囲に人が存在する」旨の信号の送出を停止し、自身のタイマーをリセットする。「所定の時間連続して第一所定範囲に人が存在する」の送出が停止された旨の信号を受信した中断終了手段は、制御部に対して中断終了の旨の信号を送出する。中断終了の旨の信号を受信した制御部は、受信部からの映像情報の出力を記録部から出力部に切替える。この制御により、映像情報のディスプレイへの表示が再開される。
また、カウント値がタイマーの設定値に到達する前に、検知部から「ディスプレイから第一所定範囲に人が存在しない」旨の信号を受信した場合には、タイマーをリセットし、滞在時間判断手段は中断命令送信手段に対して、「所定の時間連続して第一所定範囲に人が存在する」旨の信号を送出しない。
さらに、タイマーの時間の設定値は自由に変更することができる。タイマーの設定値には、一例として、１〜２分の短時間や、１〜２時間の比較的長時間の設定値が該当する。またタイマーは、複数あってもよい。タイマーが複数（例えば２つ）存在する場合には、一方を、「検知部が一定の領域内に人を検知する」タイマーとして使用し、他方を「検知部が一定の領域外の人を検知する」タイマーとして使用してもよい。
【００３７】
（中断命令送信手段）
「中断命令送信手段」は、滞在時間判断手段の判断結果が所定の時間連続して第一所定範囲に人が存在するとの判断結果である場合には、中断命令を送信する。例えば、滞在時間判断手段から「所定の時間連続して第一所定範囲に人が存在する」旨の信号を受信した中断命令送信手段は、制御部に対して中断命令を送信する。ここで「中断」とは、出力部のディスプレイの表示を中断することをいう。「中断命令」とは、出力部のディスプレイの表示を中断するための制御命令のことをいう。この中断命令は、一例として、制御部に対して送信されると同時に、第一記録命令送信手段（後述する）に出力される。中断命令を受信した制御部は、受信部が受信する映像情報の出力部への出力を中断させる。中断命令を受信した第一記録命令送信手段は、第一記録命令（後述する）を制御部に送信する。第一記録命令によって、映像情報の記録部への記録が開始される。なお、この中断命令は、実施形態１の制御部で説明した中断命令に相当する。
【００３８】
（中断終了手段）
「中断終了手段」は、中断命令送信手段により送信された中断命令に基づいた中断を終了させる。一例として、滞在時間判断手段が検知部から「ディスプレイから第一所定範囲に人が存在しない」旨の信号を受信した場合には、中断終了手段は滞在時間判断手段から、「所定の時間連続して第一所定範囲に人が存在する」旨の信号の送出が停止された旨の信号を受信する。当該信号を受信した中断終了手段は、中断命令送信手段により送信された中断命令に基づいた中断を終了させる信号を制御部と、第一記録命令送信手段に対して送出する。中断を終了させる信号を受信した制御部は、受信部が受信する映像情報の出力を記録部から出力部に切替える制御を行う。中断を終了させる信号を受信した第一記録命令送信手段は、第一記録命令の送信を停止する。第一記録命令の送信停止によって、映像情報の記録部への記録が停止される。なお、この中断終了手段による中断終了の信号は、実施形態１の制御部で説明した中断終了命令に相当する。
【００３９】
（第一記録命令送信手段）
「第一記録命令送信手段」は、滞在時間判断手段の判断結果が所定の時間連続して第一所定範囲に人が存在するとの判断結果である場合には、第一記録命令を制御部に対して送信する。ここで「第一記録命令」とは、記録部に対して少なくとも中断中の映像情報を後に再生可能とするための制御命令のことをいう。一例として、第一記録命令送信手段が制御部に対して、第一記録命令を送信した場合の処理を考えてみる。第一記録命令を受信した制御部は、受信部が受信した映像情報の出力を出力部から記録部に切替える。記録部は、受信部が受信した映像情報を記録する。これにより、中断中の映像情報を、例えば、実施形態１の制御部で説明した制御命令４を使用して、再生することができる。また、中断終了手段から中断を終了させる信号を受信した第一記録命令送信手段は、第一記録命令の制御部への送信を停止する。第一記録命令送信手段が第一記録命令の送信を停止した場合には、制御部は、記録部に対して映像情報の記録を停止するように制御する。なお、この第一記録命令と、中断命令と、中断終了命令とを組み合わせた制御は、実施形態１の制御部で説明した第一の制御に相当する。なお、上記説明においては、記録部への映像情報の記録は、出力部への映像情報の中断中の場合のみ行われるものとしたが、本実施形態はそれに限定されるものではない。例えば、最初から最後まで映像情報を記録部に記録するように制御して、出力部への映像情報の出力の中断が発生した部分以外を上書き又は消去するように構成してもよい。
【００４０】
<処理の流れ>
以下に、本実施形態の処理の流れを説明する。
図８は、本実施形態の処理の流れを説明するための図である。
まず、映像出力装置の電源をＯＮにする（ステップＳ０８０１）。次に、受信ステップは、映像情報を受信し出力部に出力する（ステップＳ０８０２）。次に、検知ステップは、ディスプレイから第一所定範囲に人が存在するか検知する（ステップＳ０８０３）。次に、滞在時間判断ステップは、検知ステップでの検知結果に基づいて「ディスプレイから所定の時間連続して第一所定範囲に人が存在する」かどうか判断する（ステップＳ０８０４）。次に、制御命令送信ステップは、滞在時間判断ステップでの判断結果が「ディスプレイから所定の時間連続して第一所定範囲に人が存在する」である場合には、さらに映像情報の出力がディスプレイに表示されているか判断する（ステップＳ０８０５）。ディスプレイに表示されていれば、ステップＳ０８０６に進み、ディスプレイに表示されていなければステップＳ０８０７に進む。次に、第一記録命令送信ステップは、記録部に対して少なくとも中断中の映像情報を後に再生可能とするための制御命令である第一記録命令（映像情報の出力を出力部から記録部に切替える命令など）を制御部に対して送信する（ステップＳ０８０６）。次に、制御ステップは、映像情報を記録部に出力する（ステップＳ０８０７）。次に、映像出力装置の電源がＯＦＦかどうか判断し（ステップＳ０８０８）、電源ＯＦＦであれば処理を終了する。電源ＯＮであれば、ステップＳ０８０３に戻る。次に、制御命令送信ステップは、滞在時間判断ステップでの判断結果が「ディスプレイから所定の時間連続して第一所定範囲に人が存在しない」であれば、さらに映像情報の出力がディスプレイに表示されているか判断する（ステップＳ０８０９）。ディスプレイに表示されていなければ、ステップＳ０８１０に進み、ディスプレイに表示されていればステップＳ０８１１に進む。次に、制御命令送信ステップは、映像情報を出力部に出力する制御命令（映像情報の出力を記録部から出力部に切替える命令など）を、制御部に対して送信する（ステップＳ０８１０）。次に、制御ステップは、映像情報を出力部に出力し（ステップＳ０８１１）、ステップＳ０８０８に進む。
【００４１】
<実施形態２の効果の簡単な説明>
【００４２】
本実施形態の映像出力装置によれば、ディスプレイから所定の時間連続して第一所定範囲に人が存在するか検知し、検知結果が、所定の時間連続して第一所定範囲に人が存在する場合には、映像情報を記録部に記録することにより、中断中の映像情報を後に再生可能とすることができる。
【００４３】
<<実施形態３>>
以下に、実施形態３について説明する。
<実施形態３の概念>
以下に、本実施形態の概念について説明する。本実施形態の映像出力装置は、所定の時間連続して第一所定範囲に人が存在する場合にディスプレイの表示を中断し、その中断中及び中断終了後の映像情報を記録部に記録することにより、後に中断中及び中断終了後の映像情報を再生可能とすることに特徴がある。つまり、中断以降の映像情報は記録し、再生可能とする。
【００４４】
<構成要件の明示>
以下に、本実施形態の映像出力装置の構成要件を明示する。
図９は、本実施形態の機能ブロック図である。映像出力装置０９００は、受信部０９０１と、記録部０９０２と、出力部０９０３と、制御部０９０４と、検知部０９０５と、制御命令送信部０９０６と、からなる。本実施形態の特徴は、上記実施形態１の構成要件を基本として、制御命令送信部が、滞在時間判断手段０９０７と、中断命令送信手段０９０８と、中断終了手段０９０９と、第二記録命令送信手段０９１０と、をさらに有することにある。
【００４５】
<構成要件の説明>
以下に、本実施形態の構成要件を説明する。
（受信部）、（記録部）、（出力部）、（検知部）、（制御部）、（滞在時間判断手段）
受信部、記録部、出力部、検知部、制御部、滞在時間判断手段については、実施形態２と同様なので説明を省略する。
【００４６】
（制御命令送信部）
（中断命令送信手段）
「中断命令送信手段」は、滞在時間判断手段の判断結果が所定の時間連続して第一所定範囲に人が存在するとの判断結果である場合には、中断命令を送信する。例えば、滞在時間判断手段から「所定の時間連続して第一所定範囲に人が存在する」旨の信号を受信した中断命令送信手段は、制御部に対して中断命令を送信する。この中断命令は、一例として、制御部に対して送信されると同時に、第二記録命令送信手段（後述する）に出力される。中断命令を受信した制御部は、受信部が受信する映像情報の出力部への出力を中断させる。中断命令を受信した第二記録命令送信手段は、第二記録命令（後述する）を制御部に送信する。なお、この中断命令は、実施形態１の制御部で説明した中断命令に相当する。
【００４７】
（中断終了手段）
「中断終了手段」は、中断命令送信手段により送信された中断命令に基づいた中断を終了させる。一例として、滞在時間判断手段が検知部から「ディスプレイから第一所定範囲に人が存在しない」旨の信号を受信した場合には、中断終了手段は滞在時間判断手段から、「所定の時間連続して第一所定範囲に人が存在する」旨の信号の送出が停止された旨の信号を受信する。当該信号を受信した中断終了手段は、中断命令送信手段により送信された中断命令に基づいた中断を終了させる信号を制御部に対して送出する。中断を終了させる信号を受信した制御部は、受信部が受信する映像情報の出力を記録部及び出力部に切替える制御を行う。中断終了後の映像情報も記録部に記録される点で、実施形態２とは異なる。なお、この中断終了手段による中断終了の命令は、実施形態１の制御部で説明した中断終了命令に相当する。
【００４８】
（第二記録命令送信手段）
「第二記録命令送信手段」は、滞在時間判断手段の判断結果が所定の時間連続して第一所定範囲に人が存在するとの判断結果である場合には、第二記録命令を制御部に対して送信する。ここで「第二記録命令」とは、記録部に対して中断中及び中断終了後の映像情報を後に連続再生可能とするための制御命令のことをいう。一例として、第二記録命令送信手段が制御部に対して、第二記録命令を送信した場合の処理を考えてみる。第二記録命令を受信した制御部は、受信部が受信した映像情報の出力を記録部又は／出力部及び記録部に切替える。ここで制御部が、映像情報の出力を記録部のみに切替えるのは、中断命令を受信したときである。また、制御部が、映像情報の出力を出力部及び記録部に切替えるのは、中断終了命令を受信したときである。記録部は、受信部が受信した映像情報を記録する。ここで、中断終了手段が、中断命令送信手段により送信された中断命令に基づいた中断を終了させても、記録部は映像情報の記録を継続する。これにより、中断中及び中断終了後の映像情報を、例えば、実施形態１の制御部で説明した制御命令４を使用して、再生することができる。なお、この第二記録命令と、中断命令と、中断終了命令とを組み合わせた制御は、実施形態１の制御部で説明した第二の制御に相当する。なお、上記説明においては、記録部への映像情報の記録は、出力部への映像情報の中断中及び中断終了後の場合のみ行われるものとしたが、本実施形態はそれに限定されるものではない。例えば、最初から最後まで映像情報を記録部に記録するように制御して、出力部への映像情報の出力の最初から中断が発生した部分までを上書き又は消去するように構成してもよい。
【００４９】
<処理の流れ>
以下に、本実施形態の処理の流れを説明する。
図１０は、本実施形態の処理の流れを説明するための図である。
まず、映像出力装置の電源をＯＮにする（ステップＳ１００１）。次に、受信ステップは、映像情報を受信し出力部に出力する（ステップＳ１００２）。次に、検知ステップは、ディスプレイから第一所定範囲に人が存在するか検知する（ステップＳ１００３）。次に、滞在時間判断ステップは、検知ステップでの検知結果に基づいて「ディスプレイから所定の時間連続して第一所定範囲に人が存在する」かどうか判断する（ステップＳ１００４）。次に、制御命令送信ステップは、滞在時間判断ステップでの判断結果が「ディスプレイから所定の時間連続して第一所定範囲に人が存在する」である場合には、さらに映像情報の出力がディスプレイに表示されているか判断する（ステップＳ１００５）。ディスプレイに表示されていれば、ステップＳ１００６に進み、ディスプレイに表示されていなければステップＳ１００７に進む。次に、第二記録命令送信ステップは、記録部に対して中断中及び中断終了後の映像情報を後に連続再生可能とするための制御命令である第二記録命令（映像情報の出力を出力部（初回のみ）又は（出力部及び記録部（２回目以降））から記録部に切替える命令など）を制御部に対して送信する（ステップＳ１００６）。次に、制御ステップは、映像情報を記録部に記録する（ステップＳ１００７）。次に、映像出力装置の電源がＯＦＦかどうか判断し（ステップＳ１００８）、電源ＯＦＦであれば処理を終了する。電源ＯＮであれば、ステップＳ１００３に戻る。次に、制御命令送信ステップは、滞在時間判断ステップでの判断結果が「ディスプレイから所定の時間連続して第一所定範囲に人が存在しない」であれば、さらに映像情報の出力がディスプレイに表示されているか判断する（ステップＳ１００９）。ディスプレイに表示されていなければ、ステップＳ１０１０に進み、ディスプレイに表示されていればステップＳ１０１１に進む。次に、制御命令送信ステップは、映像情報を出力部に出力する制御命令（映像情報の出力を記録部から出力部及び記録部に切替える命令など）を、制御部に対して送信する（ステップＳ１０１０）。次に、制御ステップは、映像情報を出力部に出力し（ステップＳ１０１１）、ステップＳ１００８に進む。
【００５０】
<実施形態３の効果の簡単な説明>
【００５１】
本実施形態の映像出力装置によれば、ディスプレイから所定の時間連続して第一所定範囲に人が存在するか検知し、検知結果が、所定の時間連続して第一所定範囲に人が存在する場合には、映像情報を記録部に記録することにより、中断中及び中断終了後の映像情報を後に連続再生可能とすることができる。中断終了後の映像情報を記録することにより、中断以降の映像情報のつながりがわかるという効果がある。
【００５２】
<<実施形態４>>
以下に、実施形態４について説明する。
<実施形態４の概念>
以下に、本実施形態の概念について説明する。本実施形態の映像出力装置は、記録部は放送をすべて記録しているが、中断があったコンテンツに関しては、上書きや消去を禁止し、後に最初から連続して全体を視聴できるようにすることに特徴がある。
【００５３】
<構成要件の明示>
以下に、本実施形態の映像出力装置の構成要件を明示する。
図１１は、本実施形態の機能ブロック図である。映像出力装置１１００は、受信部１１０１と、記録部１１０２と、出力部１１０３と、制御部１１０４と、検知部１１０５と、制御命令送信部１１０６と、からなる。本実施形態の特徴は、上記実施形態１の構成要件を基本として、制御命令送信部が、滞在時間判断手段１１０７と、中断命令送信手段１１０８と、中断終了手段１１０９と、第三記録命令送信手段１１１０と、をさらに有することにある。
【００５４】
<構成要件の説明>
以下に、本実施形態の構成要件を説明する。
（受信部）、（記録部）、（出力部）、（検知部）、（制御部）、（滞在時間判断手段）
受信部、記録部、出力部、検知部、制御部、滞在時間判断手段については、実施形態２と同様なので説明を省略する。
【００５５】
（制御命令送信部）
（中断命令送信手段）
「中断命令送信手段」は、滞在時間判断手段の判断結果が所定の時間連続して第一所定範囲に人が存在するとの判断結果である場合には、中断命令を送信する。例えば、滞在時間判断手段から「所定の時間連続して第一所定範囲に人が存在する」旨の信号を受信した中断命令送信手段は、制御部に対して中断命令を送信する。この中断命令は、一例として、制御部に対して送信されると同時に、第三記録命令送信手段（後述する）に出力される。中断命令を受信した制御部は、受信部が受信する映像情報の出力部への出力を中断させる。中断命令を受信した第三記録命令送信手段は、第三記録命令（後述する）を制御部に送信する。なお、この中断命令は、実施形態１の制御部で説明した中断命令に相当する。
【００５６】
（中断終了手段）
「中断終了手段」は、中断命令送信手段により送信された中断命令に基づいた中断を終了させる。一例として、滞在時間判断手段が検知部から「ディスプレイから第一所定範囲に人が存在しない」旨の信号を受信した場合には、中断終了手段は滞在時間判断手段から、「所定の時間連続して第一所定範囲に人が存在する」旨の信号の送出が停止された旨の信号を受信する。当該信号を受信した中断終了手段は、中断命令送信手段により送信された中断命令に基づいた中断を終了させる信号を制御部に対して送出する。中断を終了させる信号を受信した制御部は、受信部が受信する映像情報の出力を記録部及び出力部に切替える制御を行う。なお、この中断終了手段による中断終了の命令は、実施形態１の制御部で説明した中断終了命令に相当する。
【００５７】
（第三記録命令送信手段）
「第三記録命令送信手段」は、滞在時間判断手段の判断結果が所定の時間連続して第一所定範囲に人が存在するとの判断結果である場合には、第三記録命令を制御部に対して送信する。ここで「第三記録命令」とは、記録部に対して中断があったコンテンツの映像情報を後に最初から連続再生可能とするための制御命令のことをいう。一例として、第三記録命令送信手段が制御部に対して、第三記録命令を送信した場合の処理を考えてみる。映像出力装置の電源がＯＮの後、第三記録命令を受信した制御部は、受信部で受信した映像情報を、コンテンツの開始から出力部及び記録部に対して出力するように制御する。中断命令を受信した場合には、制御部は、受信部が受信した映像情報の出力を記録部のみに切替える。記録部は、受信部が受信した映像情報を記録する。ここで、中断終了手段が、中断命令送信手段により送信された中断命令に基づいた中断を終了させても、記録部は映像情報の記録を継続する。また、制御部は、中断があったコンテンツに関しては、上書きや消去を禁止し、後に最初から連続して全体を視聴できるように制御してもよい。これにより、コンテンツ開始からの映像情報を、例えば、実施形態１の制御部で説明した制御命令４を使用して、再生することができる。なお、この第三記録命令と、中断命令と、中断終了命令とを組み合わせた制御は、実施形態１の制御部で説明した第三の制御に相当する。
【００５８】
<処理の流れ>
以下に、本実施形態の処理の流れを説明する。
図１２は、本実施形態の処理の流れを説明するための図である。
まず、映像出力装置の電源をＯＮにする（ステップＳ１２０１）。次に、受信ステップは、映像情報を受信し出力部に出力する（ステップＳ１２０２）。次に、検知ステップは、ディスプレイから第一所定範囲に人が存在するか検知する（ステップＳ１２０３）。次に、滞在時間判断ステップは、検知ステップでの検知結果に基づいて「ディスプレイから所定の時間連続して第一所定範囲に人が存在する」かどうか判断する（ステップＳ１２０４）。次に、制御命令送信ステップは、滞在時間判断ステップでの判断結果が「ディスプレイから所定の時間連続して第一所定範囲に人が存在する」である場合には、さらに映像情報の出力がディスプレイに表示されているか判断する（ステップＳ１２０５）。ディスプレイに表示されていれば、ステップＳ１２０６に進み、ディスプレイに表示されていなければステップＳ１２０７に進む。次に、第三記録命令送信ステップは、記録部に対して中断があったコンテンツの映像情報を後に最初から連続再生可能とするための制御命令である第三記録命令（映像情報の出力を出力部及び記録部から記録部に切替える命令など）を制御部に対して送信する（ステップＳ１２０６）。次に、制御ステップは、映像情報を記録部に記録する（ステップＳ１２０７）。次に、映像出力装置の電源がＯＦＦかどうか判断し（ステップＳ１２０８）、電源ＯＦＦであれば処理を終了する。電源ＯＮであれば、ステップＳ１２０３に戻る。次に、制御命令送信ステップは、滞在時間判断ステップでの判断結果が「ディスプレイから所定の時間連続して第一所定範囲に人が存在しない」であれば、さらに映像情報の出力がディスプレイに表示されているか判断する（ステップＳ１２０９）。ディスプレイに表示されていなければ、ステップＳ１２１０に進み、ディスプレイに表示されていればステップＳ１２１１に進む。次に、制御命令送信ステップは、映像情報を出力部に出力する制御命令（映像情報の出力を記録部から出力部及び記録部に切替える命令など）を、制御部に対して送信する（ステップＳ１２１０）。次に、制御ステップは、映像情報を出力部に出力し（ステップＳ１２１１）、ステップＳ１２０８に進む。
【００５９】
<実施形態４の効果の簡単な説明>
【００６０】
本実施形態の映像出力装置によれば、ディスプレイから所定の時間連続して第一所定範囲に人が存在するか検知し、検知結果が、所定の時間連続して第一所定範囲に人が存在する場合には、記録部に対して中断があったコンテンツの映像情報を後に最初から連続再生可能とすることができる。
【００６１】
<<実施形態５>>
以下に、実施形態５について説明する。
<実施形態５の概念>
以下に、本実施形態の概念について説明する。本実施形態の映像出力装置は、制御命令に基づいて制御部が制御をした場合には、その旨を出力部のディスプレイに表示することを特徴とする。
【００６２】
<構成要件の明示>
以下に、本実施形態の映像出力装置の構成要件を明示する。
図１３は、本実施形態の機能ブロック図である。映像出力装置１３００は、受信部１３０１と、記録部１３０２と、出力部１３０３と、制御部１３０４と、検知部１３０５と、制御命令送信部１３０６と、制御告知部１３１１と、からなる。また、制御命令送信部は、滞在時間判断手段１３０７と、中断命令送信手段１３０８と、中断終了手段１３０９と、第一記録命令送信手段１３１０と、を有する。
【００６３】
<構成要件の説明>
以下に、本実施形態の構成要件を説明する。
（受信部）、（記録部）、（出力部）、（検知部）、（制御部）、（制御命令送信部）
受信部、記録部、出力部、検知部、制御部、制御命令送信部については、実施形態２から４のいずれか一と同様なので説明を省略する。
【００６４】
（制御告知部）
「制御告知部」は、制御命令に基づいて制御部が制御をした場合には、その旨を出力部のディスプレイに表示する。また、制御命令に基づいて制御部が制御をした場合の旨の出力は、出力部のスピーカなどによって音声として出力してもよい。
図１４は、制御告知部がディスプレイへ表示する一例を示す図である。この場合には、「記録モードに切り替わりました。記録部に記録中です。」の表示がディスプレイにされている。
【００６５】
<処理の流れ>
以下に、本実施形態の処理の流れを説明する。
図１５は、本実施形態の処理の流れを説明するための図である。
まず、映像出力装置の電源をＯＮにする（ステップＳ１５０１）。次に、受信ステップは、映像情報を受信し出力部に出力する（ステップＳ１５０２）。次に、検知ステップは、ディスプレイから第一所定範囲に人が存在するか検知する（ステップＳ１５０３）。次に、滞在時間判断ステップは、検知ステップでの検知結果に基づいて「ディスプレイから所定の時間連続して第一所定範囲に人が存在する」かどうか判断する（ステップＳ１５０４）。次に、制御命令送信ステップは、滞在時間判断ステップでの判断結果が「ディスプレイから所定の時間連続して第一所定範囲に人が存在する」である場合には、さらに映像情報の出力がディスプレイに表示されているか判断する（ステップＳ１５０５）。ディスプレイに表示されていれば、ステップＳ１５０６に進み、ディスプレイに表示されていなければステップＳ１５０７に進む。次に、第一記録命令送信ステップは、記録部に対して少なくとも中断中の映像情報を後に再生可能とするための制御命令である第一記録命令（映像情報の出力を出力部から記録部に切替える命令など）を制御部に対して送信する（ステップＳ１５０６）。次に、制御ステップは、映像情報を記録部に出力する（ステップＳ１５０７）。次に、制御告知ステップは、制御命令に基づいて制御部が制御をした旨を出力部のディスプレイに表示する（ステップＳ１５１２）。次に、映像出力装置の電源がＯＦＦかどうか判断し（ステップＳ１５０８）、電源ＯＦＦであれば処理を終了する。電源ＯＮであれば、ステップＳ１５０３に戻る。次に、制御命令送信ステップは、滞在時間判断ステップでの判断結果が「ディスプレイから所定の時間連続して第一所定範囲に人が存在しない」であれば、さらに映像情報の出力がディスプレイに表示されているか判断する（ステップＳ１５０９）。ディスプレイに表示されていなければ、ステップＳ１５１０に進み、ディスプレイに表示されていればステップＳ１５１１に進む。次に、制御命令送信ステップは、映像情報を出力部に出力する制御命令（映像情報の出力を記録部から出力部に切替える命令など）を、制御部に対して送信する（ステップＳ１５１０）。次に、制御ステップは、映像情報を出力部に出力し（ステップＳ１５１１）、ステップＳ１５０８に進む。
【００６６】
<実施形態５の効果の簡単な説明>
【００６７】
本実施形態の映像出力装置によれば、制御命令に基づいて制御部が制御をした場合には、その旨を出力部のディスプレイに表示することができるので、視聴者が記録モードに切り替わったことを知ることができる。そして、視聴者はディスプレイから所定の時間連続して第一所定範囲にいたことを知ることができる。
【００６８】
<<実施形態６>>
以下に、実施形態６について説明する。
<実施形態６の概念>
以下に、本実施形態の概念について説明する。本実施形態の映像出力装置は、ディスプレイの表示を後に中断する可能性を示す警告情報を出力部から出力させることに特徴がある。
【００６９】
<構成要件の明示>
以下に、本実施形態の映像出力装置の構成要件を明示する。
図１６は、本実施形態の機能ブロック図である。映像出力装置１６００は、受信部１６０１と、記録部１６０２と、出力部１６０３と、制御部１６０４と、検知部１６０５と、制御命令送信部１６０６と、からなる。また、制御命令送信部は、警告出力命令送信手段１６０７を有する。
【００７０】
<構成要件の説明>
以下に、本実施形態の構成要件を説明する。
（受信部）、（記録部）、（出力部）、（検知部）、（制御部）
受信部、記録部、出力部、検知部、制御部については、実施形態１から５のいずれか一と同様なので説明を省略する。
【００７１】
（制御命令送信部）
（警告出力命令送信手段）
「警告出力命令送信手段」は、検知部の検知結果に基づいてディスプレイの表示を後に中断する可能性を示す警告情報を出力部から出力させるための制御命令である警告出力命令を送信する。また、警告情報は、出力部のスピーカなどによって音声として出力してもよい。なお、警告情報の出力を出力してから制御部が制御するまでのタイミングはタイマーで設定することも可能である。例えば、タイマーの設定値が１０秒であったとすると、警告情報が出力部に出力されてから１０秒後に、映像情報の出力を記録部に切替える制御が該当する。
図１７は、警告情報をディスプレイへ表示する一例を示す図である。この場合には、「警告！１０秒後、記録モードに切り替わります。」の表示がディスプレイにされている。
【００７２】
<処理の流れ>
以下に、本実施形態の処理の流れを説明する。
図１８は、本実施形態の処理の流れを説明するための図である。
まず、映像出力装置の電源をＯＮにする（ステップＳ１８０１）。次に、受信ステップは、映像情報を受信し出力部に出力する（ステップＳ１８０２）。次に、検知ステップは、ディスプレイから第一所定範囲に人が存在するか検知する（ステップＳ１８０３）。次に、制御命令送信ステップは、検知ステップでの検知結果が、「ディスプレイから第一所定範囲に人が存在する」かどうか判断する（ステップＳ１８０４）。次に、制御命令送信ステップは、検知ステップでの検知結果が、「ディスプレイから第一所定範囲に人が存在する」である場合には、さらに映像情報の出力がディスプレイに表示されているか判断する（ステップＳ１８０５）。ディスプレイに表示されていれば、ステップＳ１８１２に進み、ディスプレイに表示されていなければステップＳ１８０７に進む。次に、警告出力命令送信ステップは、検知ステップの検知結果に基づいてディスプレイの表示を後に中断する可能性を示す警告情報を出力部から出力させるための制御命令である警告出力命令を送信する（ステップＳ１８１２）。次に、制御命令送信ステップは、映像情報の出力を出力部から記録部に切替える制御命令を、制御部に対して送信する（ステップＳ１８０６）。次に、制御ステップは、映像情報を記録部に出力する（ステップＳ１８０７）。次に、映像出力装置の電源がＯＦＦかどうか判断し（ステップＳ１８０８）、電源ＯＦＦであれば処理を終了する。電源ＯＮであれば、ステップＳ１８０３に戻る。次に、制御命令送信ステップは、検知ステップでの検知結果が、「ディスプレイから第一所定範囲に人が存在しない」であれば、さらに映像情報の出力がディスプレイに表示されているか判断する（ステップＳ１８０９）。ディスプレイに表示されていなければ、ステップＳ１８１０に進み、ディスプレイに表示されていればステップＳ１８１１に進む。次に、制御命令送信ステップは、映像情報を出力部に出力する制御命令を、制御部に対して送信する（ステップＳ１８１０）。次に、制御ステップは、映像情報を出力部に出力し（ステップＳ１８１１）、ステップＳ１８０８に進む。
【００７３】
（実施例１）
以下に、本実施形態の実施例１について説明する。
図１９は、実施例１の具体的機能ブロック図である。実施例１の映像出力装置１９００は、受信部１９０１と、記録部１９０２と、出力部１９０３と、制御部１９０４と、検知部１９０５と、制御命令送信部１９０６と、からなる。また、受信部は、ビデオ入力１９０７と、アンテナ入力１９０８と、映像情報出力回路１９０９と、を有する。出力部は、ディスプレイ１９１０と、スピーカ１９１１と、を有する。検知部は、サーモパイル赤外線センサ１９１２と、増幅回路１９１３と、増幅ゲイン変更手段１９１４と、波形整形手段１９１５と、を有する。制御命令送信部は、滞在時間判断手段１９１６と、中断命令送信手段１９１７と、中断終了手段１９１８と、第一記録命令送信手段１９１９と、警告出力命令送信手段１９２０と、マイコン１９２１と、ＲＯＭ１９２２と、設定時間調整手段１９２３と、を有する。さらに、滞在時間判断手段は、第一タイマー１９２４と、第二タイマー１９２５と、を有し、警告出力命令送信手段は、第三タイマー１９２６と、警告画面発生手段１９２７と、警告音声発生手段１９２８と、を有する。ビデオ入力、アンテナ入力は、外部機器などからの入力信号である映像情報を映像情報出力回路に出力する。制御部は、制御命令送信部のマイコン、ＲＯＭの制御による制御命令に基づいて、受信部、記録部、出力部の切替制御を行う。また、サーモパイル赤外線センサは、第一所定範囲（図４を参照）に視聴者が侵入したか否かを検出する。
【００７４】
本実施例１では、検知部としてサーモパイル赤外線センサを用いている。このサーモパイル赤外線センサは人体からの放射エネルギ（赤外線）を受けて受光部の温度を変化させ、これを検出して出力信号を得るセンサである。このサーモパイル赤外線センサによる第一所定範囲の最大値は、Ｌ＝３ｍ、Ｄ＝２ｍφが可能で、必要に応じてサーモパイルと集光ミラー系とを組合わせることにより、第一所定範囲を変更することができる。なお、上述の第一所定範囲においてＬ＝１ｍでよい場合には安価な焦電型赤外線センサを用いることができる他、Ｌ＝３ｍを確保する他のセンサとしては反射検出形超音波スイッチを用いてもよい。
上述のサーモパイル赤外線センサの出力段にセンサ信号を増幅する増幅回路を接続すると共に、この増幅回路には同増幅回路の増幅ゲインを変更することで上述の第一所定範囲を拡縮する増幅ゲイン変更手段を接続する。また上述の増幅回路の出力段には、シュミット回路等を含む波形整形手段を接続して、増幅後のアナログ信号を波形整形することでデジタル信号に変換する。
この波形整形手段からの出力信号ｔｐを入出力インタフェース（図示せず）を介して制御命令送信部に入力すべく構成している。なお、上述の増幅回路としては例えばオペアンプを用い、増幅ゲイン変更手段は例えば可変抵抗により構成すると共に、外部からの可変操作ができるように構成する。
マイコンは、上記出力信号ｔｐに基づいてＲＯＭに格納されたプログラムに従って、所定短時間Ｔ１を計時する第一タイマー、所定長時間Ｔ２を計時する第二タイマー、警告画面発生手段、警告音声発生手段、第三タイマー、制御部を駆動制御し、また記録部は必要な映像情報を記憶する。
ここで、上述の第一タイマーは、ディスプレイに近接する第一所定範囲（図４参照）に視聴者が侵入した際の滞在時間を計時するタイマーで、この第一タイマーは設定時間調整手段により任意の所定時間Ｔ１（例えば１〜２分）に調整される。また、上述の第二タイマーは視聴者の第一所定範囲（図４参照）外における滞在時間を計時するタイマーで、この第二タイマーは設定時間調整手段により任意の所定長時間Ｔ２（例えば１〜２時間）に調整される。さらに、上述の第三タイマーは上記第一タイマー、第二タイマーのタイムアップ後、映像出力停止を警告（予告）してから実際に映像出力停止するまでの時間を計時するタイマーで、この第三タイマーは設定時間調整手段により任意の所定時間Ｔ３（例えば２０〜３０秒）に調整される。なお、これら第一タイマー、第二タイマー、第三タイマーとしてはマイコンに対して外付けタイプのタイマーであってもよく、マイコン内蔵タイマーであってもよいが、設定時間調整手段を外部操作可能に構成される。
一方、上述の警告音声発生手段は映像情報出力回路を介してスピーカに視聴の中止を促す音声（アナウンス）を出力し、上述の警告画面発生手段は映像情報出力回路を介してディスプレイにテレビ視聴の中止を促す文字、画像（視聴を妨害する映像を含む）を出力し、制御部は既存のアンテナ入力およびビデオ入力部からの入力信号を出力部もしくは記録部に出力する。
ここで、上述のマイコンは、出力信号ｔｐに基づいて第一所定範囲における滞在時間が第一タイマーで予め設定された所定短時間Ｔ１に達した時、テレビの視聴中止を促す警告音声および警告表示の少なくとも一方を出力する警告出力命令送信手段と、上記警告出力命令送信手段により警告情報出力後の所定時間Ｔ３経過後に映像情報の出力を中断する中断命令を送信する中断命令送信手段と、サーモパイル赤外線センサにより視聴者が第一所定範囲から脱したことを検出した時、映像情報の出力を復帰させる中断終了手段と、サーモパイル赤外線センサの出力に基づいて視聴者の第一所定範囲外における滞在時間が第二タイマーで予め設定された所定時間Ｔ２に達した時、テレビの視聴中止を促す警告音声および警告表示の少なくとも一方を出力する警告出力命令送信手段と、上記警告出力命令送信手段による警告情報出力後の所定時間Ｔ３経過後に映像情報の出力を出力部から記録部に切替える制御部と、の機能を兼ね備える。
【００７５】
このように構成した映像出力装置の作用を、以下に詳述する。
図２０は、実施例１の処理の流れを示す図である。ステップＳ２００１で、マイコンはテレビジョン電源スイッチがＯＮになったか否かを判定し、ＹＥＳ判定時にのみ次のステップＳ２００２に移行する。なお、上述のステップＳ２００１における判定はテレビジョン電源スイッチのＯＮ信号と、入力信号の有りとの論理和によりＹＥＳ判定すべく構成してもよい。
次にステップＳ２００２で、マイコンは出力信号ｔｐの読込みを実行する。この出力信号ｔｐは図４に示す第一所定範囲内にゲーム者が侵入した時にＯＮとなる信号である。次にステップＳ２００３で、マイコンは出力信号ｔｐがＯＮかＯＦＦかを判定し、ｔｐ＝ＯＮの時には次のステップＳ２００４に移行する一方、ｔｐ＝ＯＦＦの時には別のステップＳ２０１０に移行する。
上述のステップＳ２００４で、マイコンはｔｐ＝ＯＮの継続時間が第一タイマーで予め設定した所定短時間Ｔ１（例えば１〜２分）に達したか否かを判定し、ＹＥＳ判定時にのみ次のステップＳ２００５に移行する。このステップＳ２００５で、マイコンは警告音声発生手段および警告画面発生手段を共に駆動する。上述の警告音声発生手段は映像情報出力回路を介してスピーカから視聴者に視聴中止を促す警告音声を出力（アナウンス）し、上述の警告画面発生手段は映像情報出力回路を介してディスプレイに視聴者に視聴中止を促す警告文字や警告画像（ゲームを妨害する画像を含む）を表示する。ここで、上述の警告文字は字幕スーパー的な表示であってもよく、ディスプレイ全面に警告文字を表示する態様であってもよい。
次にステップＳ２００６で、マイコンは第三タイマーで予め設定された所定時間Ｔ３（例えば、２０〜３０秒）が経過したか否かを判定し、ＹＥＳ判定時にのみ次のステップＳ２００７に移行する。このステップＳ２００７で、マイコンは制御部を駆動し、信号の出力先を出力部から記録部に切替える。次にステップＳ２００７で、マイコンは映像情報の出力部への出力を自動的に停止する。
上述のステップＳ２００８で、マイコンは出力信号ｔｐがＯＮからＯＦＦに切替わったか否か、換言すれば第一所定範囲内のゲーム者等が第一所定範囲外へ脱したか否かを判定し、ＹＥＳ判定時にのみ次のステップＳ２００９に移行し、このステップＳ２００９で、マイコンは映像情報出力を自動復帰させて、視聴再開を許容する。
一方、上述のステップＳ２０１０で、マイコンはテレビジョンスイッチＯＮ条件下におけるｔｐ＝ＯＦＦの継続時間が第二タイマーで予め設定した所定長時間Ｔ２（例えば１〜２時間）に達したか否かを判定し、ＹＥＳ判定時にのみ次のステップＳ２０１１に移行する。このステップＳ２０１１で、マイコンは警告音声発生手段および警告画面発生手段を共に駆動する。上述の警告音声発生手段は映像情報出力回路を介してスピーカから視聴者に視聴中止を促す警告音声を出力（アナウンス）し、上述の警告画面発生手段は映像情報出力回路を介してディスプレイに視聴者に視聴中止を促す警告文字や警告画像（視聴を妨害する画像を含む）を表示する。ここで、上述の警告文字は字幕スーパー的な表示であってもよく、ディスプレイ全体に警告文字を表示する態様であってもよい。
次にステップＳ２０１２で、マイコンは第三タイマーで予め設定された所定時間Ｔ３（例えば、２０〜３０秒）が経過したか否かを判定し、ＹＥＳ判定時にのみ次のステップＳ２０１３に移行する。このステップＳ２０１３で、マイコンは出力部への映像情報の出力を停止し、記録部に映像情報を記録する。
以上要するに、上述の検知部（サーモパイル赤外線センサ参照）は予め設定されたディスプレイに近接する第一所定範囲内に視聴者が侵入したか否かを検出し、上述の警告出力命令送信手段（ステップＳ２００５参照）は検知部の出力に基づいて第一所定範囲における滞在時間が予め設定した所定短時間Ｔ１（例えば１〜２分）に達した時、視聴中止を促す警告音声および警告表示を出力し、制御部（ステップＳ２００７参照）は上記警告出力命令送信手段による警告情報出力後において所定時間Ｔ３（例えば２０〜３０秒）が経過した時、映像情報出力を停止し、記録部に映像を記録する。
このため視聴者以外の他者（家族の人や猫等の小動物）が上記第一所定範囲を一時的に通過した際のテレビ画像消去を防止しつつ、視聴者がテレビ画面に過度に近接した場合（第一所定範囲内に侵入した場合）に、視聴中止を促す警告情報を出力した後に、テレビ画像を自動的に消去して、視聴中断を図ることができる効果があり、かつ記録部に映像情報を記録することで、視聴できなかった映像情報を別途視聴することができる。
さらに、上述の警告出力命令送信手段（ステップＳ２０１１参照）は、検知部の出力に基づいて視聴者等の第一所定範囲外における滞在時間が予め設定した所定長時間Ｔ２（例えば１〜２時間）に達した時、視聴中止を促す警告音声および警告表示を出力し、制御部（ステップＳ２０１３参照）は上記警告出力命令送信手段による警告情報出力後において所定時間Ｔ３（例えば２０〜３０秒）が経過した時、映像情報出力を出力部から記録部に切替え、記録部に映像情報を記録する。
このため、ディスプレイから比較的離間した適正な位置においてテレビ視聴を行なう場合であっても、視聴時間が所定長時間Ｔ２に達すると、視聴中止を促す警告を出力した後に、テレビ画像を自動的に消去して、視聴中断を図ることができる効果がある。
なお、本実施例で示したように、上述のエリア拡縮手段（増幅ゲイン変更手段参照）の操作で第一所定範囲を拡縮することができるので、テレビジョンが設置される室の大きさや視聴者に対応して、上述の第一所定範囲を任意に調整することができる。
【００７６】
<実施形態６の効果の簡単な説明>
【００７７】
本実施形態の映像出力装置によれば、ディスプレイの表示を後に中断する可能性を示す警告情報を出力して後、映像情報の出力を出力部から記録部に切替えることができる。
【産業上の利用可能性】
【００７８】
本件発明は、テレビジョン放送などの映像情報を視聴する人の視聴条件に応じて、映像情報の出力をディスプレイから記録部に切り替えて映像情報を記録する映像出力装置に適用可能である。
【図面の簡単な説明】
【００７９】
【図１】実施形態1の映像出力装置の構成の一例を示す図
【図２】実施形態1の映像出力装置の概念図
【図３】実施形態1の機能ブロック図
【図４】実施形態1の第一所定範囲の一例（その１）を説明する図
【図５】実施形態1の第一所定範囲の一例（その２）を説明する図
【図６】実施形態1の処理の流れ図
【図７】実施形態２の機能ブロック図
【図８】実施形態２の処理の流れ図
【図９】実施形態３の機能ブロック図
【図１０】実施形態３の処理の流れ図
【図１１】実施形態４の機能ブロック図
【図１２】実施形態４の処理の流れ図
【図１３】実施形態５の機能ブロック図
【図１４】実施形態５のディスプレイへの表示の一例を示す図
【図１５】実施形態５の処理の流れ図
【図１６】実施形態６の機能ブロック図
【図１７】実施形態６の警告情報のディスプレイへの表示の一例を示す図
【図１８】実施形態６の処理の流れ図
【図１９】実施形態６の実施例1の具体的機能ブロック図
【図２０】実施形態６の実施例1の処理の流れ図
【図２１】実施形態１の制御シーケンスその１を示す図
【図２２】実施形態１の制御シーケンスその２を示す図
【図２３】実施形態１の制御シーケンスその３を示す図
【図２４】実施形態１の制御シーケンスその４を示す図
【符号の説明】
【００８０】
０１００  映像出力装置
０１０１  検知部
０１０２  検知部
０１０３  外部機器
【図１】
2005318364.tif 000003
【図２】
2005318364.tif 000004
【図３】
2005318364.tif 000005
【図４】
2005318364.tif 000006
【図５】
2005318364.tif 000007
【図６】
2005318364.tif 000008
【図７】
2005318364.tif 000009
【図８】
2005318364.tif 000010
【図９】
2005318364.tif 000011
【図１０】
2005318364.tif 000012
【図１１】
2005318364.tif 000013
【図１２】
2005318364.tif 000014
【図１３】
2005318364.tif 000015
【図１４】
2005318364.tif 000016
【図１５】
2005318364.tif 000017
【図１６】
2005318364.tif 000018
【図１７】
2005318364.tif 000019
【図１８】
2005318364.tif 000020
【図１９】
2005318364.tif 000021
【図２０】
2005318364.tif 000022
【図２１】
2005318364.tif 000023
【図２２】
2005318364.tif 000024
【図２３】
2005318364.tif 000025
【図２４】
2005318364.tif 000026